(57)【要約】【課題】  レイヤーの切り換えやエリアを選択する操作を行わずに、２チャンネルステレオのオーディオデータを再生することができる光ディスク再生装置を提供する。【解決手段】  第１及び第２記録層に記録されたオーディオデータ及びオーディオデータを管理する管理情報を再生する再生部と、オーディオデータの出力を２チャンネル出力又はマルチチャンネル出力に設定する出力設定部と、管理情報から第１記録層にステレオエリアが有するか否かを判別する判別部と、出力設定部により２チャンネル出力が設定され、判別部が第１記録層にステレオエリアが有することを判別すると、第１記録層のステレオエリアに記録された２チャンネルステレオのオーディオデータを再生するように再生部を制御する制御部とを備える。【選択図】  図１
2006185555.tif 000002
【特許請求の範囲】
【請求項１】
２チャンネルステレオのオーディオデータが記録されたステレオエリア及びマルチチャンネルのオーディオデータが記録されたマルチチャンネルエリアを有することが可能な第１記録層と２チャンネルステレオのオーディオデータが記録された第２記録層を備え前記第１記録層及び前記第２記録層に記録されたオーディオデータを管理する管理情報が前記第１記録層及び前記第２記録層の各々に記録された光ディスクを再生する光ディスク再生装置において、
前記第１記録層又は前記第２記録層に記録されたオーディオデータと管理情報を読み取る読取部と、
前記読取部が読み取ったオーディオデータを２チャンネル出力又はマルチチャンネル出力に設定する出力設定部と、
前記読取部が読み取ったオーディオデータに信号処理を施す信号処理部と、
前記信号処理部が信号処理を施したオーディオデータを出力する出力部と、
前記読取部が読み取った管理情報から前記第１記録層にステレオエリアを有するか否かを判別する判別部と、
前記出力設定部により２チャンネル出力が設定され、前記判別部が前記第１記録層にステレオエリアを有すると判別した場合、
前記第１記録層のステレオエリアに記録された２チャンネルステレオのオーディオデータを読み取るように前記読取部を制御する制御部とを備えることを特徴とする光ディスク再生装置。
【請求項２】
請求項１記載の光ディスク再生装置において、
前記制御部は、前記出力設定部により２チャンネル出力が設定され、前記判別部が前記第１記録層にステレオエリアを有さないと判別した場合、前記第２記録層に記録された２チャンネルステレオのオーディオデータを読み取るように前記読取部を制御することを特徴とする光ディスク再生装置。
【請求項３】
請求項２記載の光ディスク再生装置において、
前記制御部は、光ディスクが前記第２記録層を備えていないとき、前記第１記録層のマルチチャンネルエリアからマルチチャンネルのオーディオデータを読み取とるように前記読取部を制御し、当該マルチチャンネルのオーディオデータを２チャンネルのオーディオデータにダウンミックスするように前記信号処理部を制御することを特徴とする光ディスク再生装置。
【請求項４】
請求項２記載の光ディスク再生装置において、
信号処理部と表示部を更に備え、
前記制御部は、光ディスクが前記第２記録層を備えていないとき、前記表示部にマルチチャンネルのオーディオデータを２チャンネルのオーディオデータにダウンミックスするか否かを示す表示をさせる制御をし、マルチチャンネルのオーディオデータを２チャンネルのオーディオデータにダウンミックスする指示があると、前記第１記録層のマルチチャンネルエリアからマルチチャンネルのオーディオデータを読み取るように前記読取部を制御し、当該マルチチャンネルのオーディオデータを２チャンネルステレオのオーディオデータにダウンミックスするように前記信号処理部を制御することを特徴とする光ディスク再生装置。
【発明の詳細な説明】
【技術分野】
【０００１】
本発明は、光ディスクに記録されたオーディオデータを再生する光ディスク再生装置に関する。
【背景技術】
【０００２】
デジタルオーディオデータが記録された光ディスクとして、CD-DA（Compact Disc-Digital Audio）がある。このCD-DAには、４４．１kHzのサンプリング周波数でサンプリングされた１６ビットのデジタルオーディオデータが１．６μmのトラックピッチで記録されている。これに対して、サンプリング周波数が２８２２．４kHzであり、デルタシグマ変調された１ビットのデジタルオーディオデータが０．７４μmのトラックピッチで記録された高記録密度の光ディスクがある。
【０００３】
この高記録密度の光ディスクには、上述した２８２２．４kHzでサンプリングされデルタシグマ変調された１ビットのデジタルオーディオデータが記録された記録層（以下HD（High Definition）レイヤーという。）と４４．１kHzでサンプリングされた１６ビットのデジタルオーディオデータが記録された記録層（以下CDレイヤーという。）の２つの記録層を有するハイブリッドレイヤーディスクがある。このハイブリッドレイヤーディスクの他に、１層のHDレイヤーのみを有するシングルレイヤーディスク、２層のHDレイヤーを有するデュアルレイヤーディスクがある。また、高記録密度の光ディスクにおいて、HDレイヤーは、２チャンネルのデジタルオーディオデータを記録する２チャンネルステレオエリアと、６チャンネルまでのマルチチャンネルのデジタルオーディオデータを記録するマルチチャンネルエリアを有する。
【０００４】
これらの高記録密度の光ディスクのうちハイブリッドレイヤーディスクは、通常、CDレイヤー及びHDレイヤーの２チャンネルステレオエリアとマルチチャンネルエリアに、同一内容のデジタルオーディオデータが収録されたトラックが記録されている。
【０００５】
このような光ディスクを再生することができる光ディスク再生装置は、HDレイヤーとCDレイヤーの再生を切り換えることができる（例えば、特許文献１参照）。また、HDレイヤーを再生する場合には、２チャンネルステレオエリアとマルチチャンネルエリアを選択することができる。
【０００６】
【特許文献１】特開平１１−２９６８６１号公報
【発明の開示】
【発明が解決しようとする課題】
【０００７】
ユーザは、光ディスク再生装置を設置した環境により、マルチチャンネルのスピーカシステム（例えば、５．１ｃｈのスピーカシステム）を用いずに、２チャンネルステレオスピーカシステムを用いる場合がある。この場合、ユーザは、上述した高記録密度の光ディスクに記録されたオーディオデータを再生するとき、再生するレイヤーをCDレイヤーに切り換える操作又はHDレイヤーに切り換える操作をした後、２チャンネルステレオエリアを選択する操作を行う必要がある。
【０００８】
また、マルチチャンネルのスピーカシステムを用いた場合でも、上述した高記録密度の光ディスクに記録されたオーディオデータを再生するときは、マルチチャンネルエリアに記録されたオーディオデータよりも２チャンネルステレオのオーディオデータを好んで再生するユーザがいる。このようなユーザは、再生するレイヤーをHDレイヤーに切り換える操作をした後、２チャンネルステレオエリアを選択する操作又は再生するレイヤーをCDレイヤーに切り換える操作を行う必要がある。
【０００９】
以上のことから、ユーザは、２チャンネルステレオのオーディオデータを再生するために、光ディスクのレイヤーの切り換えやエリアを選択する操作をしなければならなかった。また、ユーザは、光ディスクを視認することによって、ハイブリッドレイヤーディスクかシングルレイヤーディスクかを見分けることは困難である。更に、光ディスクを視認することによって、HDレイヤーが２チャンネルステレオエリアを有するか否かを判別することが困難である。したがって、この光ディスクに添付されたジャケット等から２チャンネルステレオのオーディオデータが記録されているか否かを確認しなければならなかった。
【００１０】
本発明は、上記の課題を解決するためになされたものであり、ユーザが２チャンネルステレオのオーディオデータが記録されているか否かをジャケット等により確認したり、光ディスクのレイヤーの切り換えやエリアを選択する操作を行うことなしに、光ディスクから２チャンネルステレオのオーディオデータを再生することができる光ディスク再生装置を提供することを目的とする。
【課題を解決するための手段】
【００１１】
上記の課題を解決するために、本願の請求項１記載の発明は、２チャンネルステレオのオーディオデータが記録されたステレオエリア及びマルチチャンネルのオーディオデータが記録されたマルチチャンネルエリアを有することが可能な第１記録層と２チャンネルステレオのオーディオデータが記録された第２記録層を備え前記第１記録層及び前記第２記録層に記録されたオーディオデータを管理する管理情報が前記第１記録層及び前記第２記録層の各々に記録された光ディスクを再生する光ディスク再生装置において、前記第１記録層又は前記第２記録層に記録されたオーディオデータと管理情報を読み取る読取部と、前記読取部が読み取ったオーディオデータを２チャンネル出力又はマルチチャンネル出力に設定する出力設定部と、前記読取部が読み取ったオーディオデータに信号処理を施す信号処理部と、前記信号処理部が信号処理を施したオーディオデータを出力する出力部と、前記読取部が読み取った管理情報から前記第１記録層にステレオエリアを有するか否かを判別する判別部と、前記出力設定部により２チャンネル出力が設定され、前記判別部が前記第１記録層にステレオエリアを有すると判別した場合、前記第１記録層のステレオエリアに記録された２チャンネルステレオのオーディオデータを読み取るように前記読取部を制御する制御部とを備えることを特徴とする。
【００１２】
また、本願の請求項２記載の発明は、請求項１記載の光ディスク再生装置において、前記制御部は、前記出力設定部により２チャンネル出力が設定され、前記判別部が前記第１記録層にステレオエリアを有さないと判別した場合、前記第２記録層に記録された２チャンネルステレオのオーディオデータを読み取るように前記読取部を制御することを特徴とする。
【００１３】
また、本願の請求項３に記載の発明は、請求項２記載の光ディスク再生装置において、前記制御部は、光ディスクが前記第２記録層を備えていないとき、前記第１記録層のマルチチャンネルエリアからマルチチャンネルのオーディオデータを読み取とるように前記読取部を制御し、当該マルチチャンネルのオーディオデータを２チャンネルのオーディオデータにダウンミックスするように前記信号処理部を制御することを特徴とする。
【００１４】
また、本願の請求項４に記載の発明は、請求項２記載の光ディスク再生装置において、信号処理部と表示部を更に備え、前記制御部は、光ディスクが前記第２記録層を備えていないとき、前記表示部にマルチチャンネルのオーディオデータを２チャンネルのオーディオデータにダウンミックスするか否かを示す表示をさせる制御をし、マルチチャンネルのオーディオデータを２チャンネルのオーディオデータにダウンミックスする指示があると、前記第１記録層のマルチチャンネルエリアからマルチチャンネルのオーディオデータを読み取るように前記読取部を制御し、当該マルチチャンネルのオーディオデータを２チャンネルステレオのオーディオデータにダウンミックスするように前記信号処理部を制御することを特徴とする。
【発明の効果】
【００１５】
本発明の光ディスク再生装置によれば、ユーザが２チャンネルステレオのオーディオデータが記録されているか否かをジャケット等により確認したり、光ディスクのレイヤーの切り換えやエリアを選択する操作を行うことなしに、光ディスクから２チャンネルステレオのオーディオデータを再生することができる光ディスク再生装置を提供することができる。
【発明を実施するための最良の形態】
【００１６】
以下、本発明の実施の形態に基づいて説明する。本発明の一実施例の光ディスク再生装置は、HDレイヤーとCDレイヤーの記録層を有するハイブリッドレイヤーディスク、１層のHDレイヤーのみを有するシングルレイヤーディスク、２層のHDレイヤーを有するデュアルレイヤーディスク、CDやDVD（Digital Versatile Disc）などの光ディスクに記録されたデジタルオーディオデータを再生することができる再生装置である。
【００１７】
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０は出力端子、１１は制御部、１２は出力設定部、１３は表示部、１４は判別部を示す。
【００１８】
スピンドルモータ２に固定されたターンテーブル１は、光ディスクを載置する。操作部（図示せず）に備えられた操作ボタンをユーザが操作し再生開始の指示がされると、サーボ制御部３は、スピンドルモータ２を所定の線速度で回転駆動させる制御をする。また、サーボ制御部３は、再生部である光ピックアップ４からのレーザ光が光ディスクのピット列を正しくトレースするように、図示しないフォーカスサーボ回路とトラッキングサーボ回路を制御する。
【００１９】
光ピックアップ４は、図示しないレーザダイオードと対物レンズを備えている。CD又はCDレイヤーに記録されたデジタルオーディオデータを読み取る場合は、波長７８０nmのレーザ光を使用し、HDレイヤーに記録されたデジタルオーディオデータを読み取る場合は、波長６５０nmのレーザ光を使用する。また、光ピックアップ４は、CDレイヤー及びHDレイヤーのどちらの記録層にも焦点が合うように対物レンズの開口数を調節することができる。
【００２０】
光ピックアップ４が読み取ったデジタルオーディオデータは、再生アンプ５により波形整形及び増幅され信号処理部６に入力される。信号処理部６は、CD又はCDレイヤーから読み取ったデジタルオーディオデータの復調、HDレイヤーから読み取ったデジタルオーディオデータの復調、フォーカスエラー信号やトラッキングエラー信号等のエラー信号、同期信号の抜き出し等をしてデジタルオーディオデータをメモリ制御部７に入力する。また、信号処理部６は、制御部１１の制御によりマルチチャンネルのデジタルオーディオデータを２チャンネルステレオのデジタルオーディオデータにダウンミックする処理をする。
【００２１】
メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出されDAC９に入力される。DAC９は、デジタルオーディオデータをアナログオーディオ信号に変換する。DAC９により変換されたアナログオーディオ信号は、出力端子１１から出力される。
【００２２】
制御部１１は、サーボ制御部３、信号処理部６、メモリ制御部７、表示部１３を制御する。判別部１４は、後述するHDレイヤーのマスターTOC（Table Of Contents）エリアに記録された管理情報からHDレイヤーに２チャンネルステレオエリアの有無を判別する。
【００２３】
出力設定部１２は、オーディオデータの出力を２チャンネル出力又はマルチチャンネル出力に設定する出力設定ボタンであり、図示しない操作部に備えられている。この操作部には、出力設定ボタンの他に、再生ボタン、再生停止ボタン、早送りボタン、早戻しボタンを備えている。表示部１３は、現在再生しているトラックの再生時間、トラックナンバー、マルチチャンネルのオーディオデータを２チャンネルステレオのオーディオデータにダウンミックスして再生するか否かを示す情報等を表示する。
【００２４】
次にHDレイヤーの構造を説明する。
HDレイヤーは、光ディスクの内周から外周に向かってリードインゾーン、データゾーン、リードアウトゾーンが形成されている。データゾーンは、マスターTOCエリア、オーディオエリア及びエクストラデータエリアを備える。マスターTOCエリアには、ディスクに関する情報、エリアに関する情報、トラックに関する情報などの管理情報が記録されている。オーディオエリアは、２チャンネルのデジタルオーディオデータが記録されている２チャンネルステレオエリアと６チャンネルまでのマルチチャンネルのデジタルオーディオデータが記録されているマルチチャンネルエリアとを備える。
【００２５】
２チャンネルステレオエリアとマルチチャンネルエリアは、デジタルオーディオデータがトラックナンバー順に記録されるトラックエリアを備え、このトラックエリアの前後にエリアTOCが配置されている。この２つのエリアTOCには、同じ内容の情報が記録される。２チャンネルステレオエリアに配置されたエリアTOCには、トラックエリアに記録される２チャンネルのデジタルオーディオデータのトラックを管理する情報などが記録されている。また、マルチチャンネルエリアに配置されたエリアTOCには、トラックエリアに記録されるマルチチャンネルのデジタルオーディオデータのトラックを管理する情報などが記録されている。エクストラデータエリアは、オーディオデータ以外のデータを記録することができるエリアである。
【００２６】
また、CDレイヤーは、CDの記録層の構造と同一であり、光ディスクの内周から外周に向かってリードインエリア、プログラムエリア、リードアウトエリアが形成されている。プログラムエリアには、２チャンネルのデジタルオーディデータがトラック単位で記録されている。リードインエリアには、プログラムエリアに記録されたトラックを管理するTOC情報等が記録されている。
【００２７】
図２及び図３は、本発明の一実施例の光ディスク再生装置の再生動作を説明するフローチャートである。
図２に示すフローチャートのステップ１（S1）は、ユーザが本実施例の光ディスク再生装置に光ディスクを装着するステップである。本実施例において、光ディスク再生装置に装着する光ディスクは、HDレイヤーに２チャンネルステレオエリアとマルチチャンネルエリアを有するハイブリッドレイヤーディスクとする。
【００２８】
ステップ２（S2）は、制御部１１がHDレイヤーのマスターTOCエリアに記録された情報を読み取る制御をする。制御部１１は、光ディスクがターンテーブル１に固定されると、サーボ制御部３を制御し光ピックアップ４にHDレイヤーのマスターTOCエリアに記録された情報を読み取らせる制御をする。読み取られたマスターTOCエリアに記録された情報は、制御部１１に内蔵された図示しない記憶部に記憶される。
【００２９】
ステップ３（S3）は、出力設定部１２によりオーディオデータの出力が２チャンネル出力に設定されているか否かを制御部１１が判別するステップである。ユーザは、予め出力設定部１２を操作してオーディオデータの出力を２チャンネル出力又はマルチチャンネル出力のいずれか一方に設定する。２チャンネル出力に設定されている場合は、ステップ５（S5）に進む。マルチチャンネル出力に設定されている場合は、ステップ４（S4）に進む。
【００３０】
ステップ４（S4）は、制御部１１がHDレイヤーのマルチチャンネルエリアに記録されたデジタルオーディオデータを再生する制御をするステップである。制御部１１は、HDレイヤーのマルチチャンネルエリアに記録されたデジタルオーディオデータを再生するようにサーボ制御部３、信号処理部６を制御する。ここで、HDレイヤーにマルチチャンネルエリアを有さない場合、制御部１１は、HDレイヤーの２チャンネルステレオエリアに記録されたデジタルオーディオデータを再生する制御をする。
ステップ５（S5）は、図３に示すステップ７へ進むステップである。
【００３１】
図３に示すフローチャートのステップ６（S6）は、判別部１４が装着された光ディスクのHDレイヤーに２チャンネルステレオエリアとマルチチャンネルエリアの有無の判別をするステップである。判別部１４は、図２に示すステップ２（S2）において読み取ったマスターTOCエリアに記録された情報から２チャンネルステレオエリアとマルチチャンネルエリアの有無を判別する。２チャンネルステレオエリアを有さない場合は、ステップ８（S8）に進む。２チャンネルステレオエリアを有する場合は、ステップ７（S7）に進む。
【００３２】
ステップ７（S7）は、制御部１１がHDレイヤーの２チャンネルステレオエリアに記録されたデジタルオーディオデータを再生する制御をするステップである。制御部１１は、HDレイヤーの２チャンネルステレオエリアに記録されたデジタルオーディオデータを再生するようにサーボ制御部３、信号処理部６を制御する。
【００３３】
図３に示すフローチャートのステップ７（S7）において、本実施例の光ディスク再生装置は、ユーザがオーディオデータの出力を２チャンネル出力に設定することにより、装着された光ディスクのHDレイヤーが２チャンネルステレオエリアを有することを判別すると、２チャンネルステレオエリアに記録された２チャンネルのデジタルオーディオデータの再生を開始する。このため、ユーザは、再生するレイヤーを切り換える操作及び再生するエリアを選択する操作を行わなくても、光ディスクのHDレイヤーに記録された２チャンネルステレオのオーディオデータを聴取することができる。
【００３４】
ステップ８（S8）は、判別部１４が装着された光ディスクにCDレイヤーを備えているか否かを判別するステップである。判別部１４は、図２に示すステップ２において読み取ったマスターTOCエリアに記録された情報から、装着された光ディスクにCDレイヤーを備えているか否かを判別する。CDレイヤーを備えている場合は、ステップ９（S9）に進む。CDレイヤーを備えていない場合は、ステップ１０（S10）に進む。
【００３５】
ステップ９（S9）は、制御部１１がCDレイヤーに記録された２チャンネルのデジタルオーディオデータを再生する制御をするステップである。制御部１１は、CDレイヤーに記録された２チャンネルのデジタルオーディオデータを再生するようにサーボ制御部３、信号処理部６を制御する。
【００３６】
図３に示すフローチャートのステップ９（S9）において、本実施例の光ディスク再生装置は、ユーザがオーディオデータの出力を２チャンネル出力に設定することにより、装着された光ディスクのHDレイヤーが２チャンネルステレオエリアを有さない場合でも、CDレイヤーを備えていることを判別すると、CDレイヤーに記録された２チャンネルステレオのデジタルオーディオデータの再生を開始する。このため、ユーザは、再生するレイヤーを切り換える操作及び再生するエリアを選択する操作を行わなくても、光ディスクのCDレイヤーに記録された２チャンネルステレオのオーディオデータを聴取することができる。
【００３７】
ステップ１０（S10）は、制御部１１が表示部１３にHDレイヤーのマルチチャンネルエリアに記録されたデジタルオーディオデータを２チャンネルステレオのデジタルオーディオデータにダウンミックスすることを示す表示をさせる制御をするステップである。装着された光ディスクにCDレイヤーが備えられていない場合、制御部１１は、オーディオデータの出力が２チャンネル出力に設定されているので、マルチチャンネルエリアに記録されたデジタルオーディオデータを２チャンネルステレオのデジタルオーディオデータにダウンミックスすることを示す表示をさせる制御をする。
【００３８】
ステップ１１（S11）は、制御部１１がHDレイヤーのマルチチャンネルエリアから再生されたデジタルオーディオデータを２チャンネルステレオのデジタルオーディオデータにダウンミックスする制御をするステップである。制御部１１は、HDレイヤーのマルチチャンネルエリアに記録されたデジタルオーディオデータを再生し、再生したマルチチャンネルのデジタルオーディオデータを２チャンネルステレオのデジタルデータにダウンミックスするように信号処理部６を制御する。
【００３９】
図３に示すフローチャートのステップ１０（S10）において、本実施例の光ディスク再生装置は、ユーザがオーディオデータの出力を２チャンネル出力に設定することにより、装着された光ディスクがHDレイヤーに２チャンネルステレオエリアを有さないシングルレイヤーディスクである場合、表示部１３にマルチチャンネルのオーディオデータを２チャンネルステレオのオーディオデータにダウンミックスすることを示す表示をする。このため、ユーザは、再生する光ディスクに添付されたジャケット等から２チャンネルステレオのオーディオデータが記録されているか否かを確認しなくても、表示部１３に上述した表示がされると、再生する光ディスクに２チャンネルステレオのオーディオデータが記録されていないことを判別することができる。
【００４０】
そして、本実施例の光ディスク再生装置は、HDレイヤーのマルチチャンネルエリアに記録されたデジタルオーディオデータを再生し、再生したマルチチャンネルのデジタルオーディオデータを２チャンネルステレオのデジタルデータにダウンミックスする。このため、ユーザは、再生する光ディスクに２チャンネルステレオのオーディオデータが記録されていない場合でも、２チャンネルステレオのオーディオデータを聴取することができる。
【００４１】
上述した図３に示すフローチャートのステップ１０において、制御部１１は、表示部１３にHDレイヤーのマルチチャンネルエリアに記録されたデジタルオーディオデータを２チャンネルステレオのデジタルオーディオデータにダウンミックスするか否かを示す表示をさせる制御をしても良い。この場合、ユーザは、表示部１３にダウンミックスするか否か示す表示がされると、再生する光ディスクに２チャンネルステレオのオーディオデータが記録されていないことを判別することができる。
【００４２】
このような表示をした後、制御部１１は、操作部によりダウンミックスをする操作指示がされると、HDレイヤーのマルチチャンネルエリアに記録されたデジタルオーディオデータを再生し、再生したマルチチャンネルのデジタルオーディオデータを２チャンネルステレオのデジタルデータにダウンミックスするように信号処理部６を制御する。ユーザは、ダウンミックスをする操作をする場合、例えば、予め定められた時間内に再生ボタンを押す。ユーザは、ダウンミックスをしない操作をする場合、例えば、予め定められた時間内に再生停止ボタンを押す。
【００４３】
このことにより、ユーザは、ダウンミックスをする操作指示をすることにより、再生する光ディスクに２チャンネルステレオのオーディオデータが記録されていない場合でも、２チャンネルステレオのオーディオデータを再生することができる。
【図面の簡単な説明】
【００４４】
【図１】本発明の実施例である光ディスク再生装置の構成を示すブロック図。
【図２】本発明の実施例である光ディスク再生装置の再生動作を説明するフローチャート。
【図３】本発明の実施例である光ディスク再生装置の再生動作を説明するフローチャート。
【符号の説明】
【００４５】
１…ターンテーブル、２…スピンドルモータ、３…サーボ制御部、４…光ピックアップ、５…再生アンプ、６…信号処理部、７…メモリ制御部、８…RAM、９…DAC、１０…出力端子、１１…制御部、１２…出力設定部、１３…表示部、１４…判別部
【図１】
2006185555.tif 000003
【図２】
2006185555.tif 000004
【図３】
2006185555.tif 000005